(57)【要約】【課題】メモ書き可能な磁気テープカートリッジの提供。【解決手段】巻成した磁気テープを収納した箱形筐体の一側面に３層構造のバーコードラベル１１を貼り付けた磁気テープカートリッジ１０であって、バーコードラベル１１が、裏面全面に剥離困難な接着特性を有する強力接着剤が塗布され、表面が一般筆記用具による筆記が可能な表面特性を持つメモ書き部１１ｃと、該メモ書き部の上層に位置して前記メモ書き部の筆記可能な表面が露出するように中央部分が開口され、表面の一端部に強力接着剤が塗布され、少なくとも他端に半接着剤が塗布された中段部１１ｂと、該中段部の上層に位置し、表面にバーコードが印刷され、裏面の一端部に強力接着剤が塗布され、少なくとも裏面他端に半接着剤が塗布されたバーコード部１１ａとから構成されたもの。【選択図】図１
2010049727.tif 000002
【特許請求の範囲】
【請求項１】
磁気テープを収納した箱形筐体の一側面に３層構造のバーコードラベルを貼り付けた磁気テープカートリッジであって、
前記バーコードラベルの３層構造が、裏面全面に剥離困難な接着特性を有する強力接着剤が塗布され、表面が筆記用具による筆記が可能な表面特性を持つメモ書き部と、該メモ書き部の上層に位置して前記メモ書き部の筆記可能な表面が露出するように中央領域が開口され、裏面全面に強力接着剤が塗布され、表面の一端部に強力接着剤が塗布され且つ少なくとも他端に半接着剤が塗布された中段部と、該中段部の上層に位置し、表面にバーコードが印刷され、裏面の前記中段部の一端部と重ね合わされる領域に強力接着剤が塗布され且つ前記中段部の一端部と重ね合わされる領域以外の領域に半接着剤が塗布されたバーコード部とから構成された磁気テープカートリッジ。
【請求項２】
前記バーコードラベルの中央部が、前記メモ書き部の筆記可能な表面が露出するように中央部分が開口された矩形枠を形成するようにくり抜かれている請求項１記載の磁気テープカートリッジ。
【発明の詳細な説明】
【技術分野】
【０００１】
本発明は、バーコードラベルが貼付された磁気テープカートリッジに係り、特に保守員等のメモ書きも可能なバーコードラベルが貼付された磁気テープカートリッジに関する。
【背景技術】
【０００２】
近年、コンピュータシステムのバックアップ用として大容量の磁気テープカートリッジを採用し、該磁気テープカートリッジを多数収納する磁気テープライブラリ装置が提案されている。この磁気テープライブラリ装置は、左右上下多段に配置された収納庫に磁気テープカートリッジを収納し、該磁気テープカートリッジを磁気テープドライブとの間でロボット機構によって移動させるため、磁気テープカートリッジを識別するためのバーコードラベルが貼り付けられる。
【０００３】
尚、前述のバーコードラベルが貼られた磁気テープカートリッジに関する技術が記載された文献としては、例えば下記特許文献１が挙げられる。
【特許文献１】特開２００１−１２６３５号公報
【発明の開示】
【発明が解決しようとする課題】
【０００４】
前述の特許文献１に記載された磁気テープカートリッジは、カートリッジの一側面にバーコードラベルが貼り付けられ、このバーコードラベルのバーコードをロボット機構のバーコード読出部が認識することによって、磁気テープカートリッジの整理番号等が管理される。
【０００５】
前記磁気テープライブラリ装置の磁気テープカートリッジは、保守員によって収納棚に収納並びに取り出しが行われるが、複数の記憶容量且つ複数世代にわたる多数のものが存在し、保守員が磁気テープカートリッジに当該カートリッジ特有の情報、例えば交換時期や世代等の情報を手書きする要望があるにもかからず、バーコードラベルには手書きを行うエリアもなく、手書きを行うことができないと言う不具合があった。
【０００６】
本発明の目的は、保守員等による文字等を手書きすることができる磁気テープカートリッジを提供することである。
【課題を解決するための手段】
【０００７】
前記目的を達成するため本発明は、磁気テープを収納した箱形筐体の一側面に３層構造のバーコードラベルを貼り付けた磁気テープカートリッジであって、前記バーコードラベルの３層構造が、裏面全面に剥離困難な接着特性を有する強力接着剤が塗布され、表面が筆記用具による筆記が可能な表面特性を持つメモ書き部と、該メモ書き部の上層に位置して前記メモ書き部の筆記可能な表面が露出するように中央領域が開口され、裏面全面に強力接着剤が塗布され、表面の一端部に強力接着剤が塗布され且つ少なくとも他端に半接着剤が塗布された中段部と、該中段部の上層に位置し、表面にバーコードが印刷され、裏面の前記中段部の一端部と重ね合わされる領域に強力接着剤が塗布され且つ前記中段部の一端部と重ね合わされる領域以外の領域に半接着剤が塗布されたバーコード部とから構成されたことを第１の特徴とする。
【０００８】
また本発明は、前記特徴の磁気テープカートリッジにおいて、前記バーコードラベルの中央部が、前記メモ書き部の筆記可能な表面が露出するように中央部分が開口された矩形枠を形成するようにくり抜かれていることを第２の特徴とする。
【発明の効果】
【０００９】
本発明による磁気テープカートリッジは、バーコードラベルが、表面が筆記可能な表面特性を持つメモ書き部と、前記メモ書き部の筆記可能な表面が露出するように中央部分が開口され、表面の一端部に強力接着剤が塗布され、少なくとも他端に半接着剤が塗布された中段部と、表面にバーコードが印刷され、裏面の一端部に強力接着剤が塗布され、少なくとも裏面他端に半接着剤が塗布されたバーコード部とから構成されることによって、前記バーコード部の他端を捲ることによって前記メモ書き部の筆記可能な表面を露出して保守員等による文字等を手書きすることができると共に該バーコード部を再び中段部に重ね合わすことによってバーコードを表面に露出することができる。
【発明を実施するための最良の形態】
【００１０】
以下、本発明による磁気テープカートリッジの一実施形態を図面を参照して詳細に説明する。図１は、本実施形態による磁気テープカートリッジの外観を示す図、図２は本実施形態によるバーコードラベルの構成を説明するための図、図３は本実施形態によるバーコードラベルの分解構成を示す図である。
【００１１】
本実施形態による磁気テープカートリッジ１０は、内部に巻成した磁気テープを収納するものであって、図１（ａ）に示す如く、薄箱形のカートリッジ筐体の一側面にバーコードが印字され、多層に構成されるバーコードラベル１１が貼り付けられる。
【００１２】
このバーコードラベル１１は、前記磁気テープカートリッジ１０の一側面に横方向に貼られる長方外形状の３枚のラベル紙により成り、図３の分解構成図に示す如く、一般筆記用具により手書き可能な表面を有するメモ書き部１１ｃと、該メモ書き部１１ｃ上に位置し、中央部分が開口する様にくり抜かれた中段部１１ｂと、該中段部１１ｂ上に位置し、表面にバーコード１５が印刷されたバーコード部１１ａとから成る３層構造を構成している。
【００１３】
このバーコードラベル１１は、図２（ａ）に表面、図２（ｂ）に裏面を示す如く、バーコード部１１ａが、表面にバーコードが印字され、裏面の一端側（図中の△印の領域）に黒塗りで示す強力接着剤が塗られ且つ他箇所に繰り返して貼り付け及び剥離が可能な接着特性を有する半接着剤が塗られており、前記中段部１１ｂが、裏面の矩形枠部分全体に強力接着剤が塗られ、表面の一端側（図中△印の領域）に強力接着剤が塗られ且つ他箇所に半接着剤が塗られており、前記メモ書き部１１ｃが、裏面全面に強力接着剤が塗られ、表面が一般筆記用具による筆記が可能な表面特性を持つように構成されている。
【００１４】
このバーコードラベル１１は、メモ書き部１１ｃの上側に矩形枠部分に強力接着剤が塗られた中段部１１ｂを重ねて貼り付け、この中段部１１ｂの上方にバーコード部１１ａのバーコードを表面として重ねて貼り付けることにより、１枚のラベルを構成しており、前記バーコード部１１ａの一側端（図中△印の領域）と中段部１１ｂの一側端（図中△印の箇所の重ね合わされる領域）が強力接着剤により剥離不能に接着され、中段部１１ｂ裏面の矩形枠部分が強力接着剤によりメモ書き部１１ｃの周囲枠部分に剥離不能に接着されている。
【００１５】
本実施形態によるバーコードラベル１１は、バーコード部１１ａ裏面の主な領域に繰り返して貼り付け及び剥離が可能な半接着剤により接着し、更に前記中段部１１ｂの矩形枠部分の裏面を強力接着剤によりメモ書き部１１ｃの周囲枠部分に剥離不能に接着しているため、図１（ｂ）に示す如く、バーコード部１１ａの他端を捲ることによって中段部１１ｂのくり抜き部１２ａによりメモ書き部１１ｃの手書き可能な箇所を露出することができると共に、バーコード部１１ａを再び中段部１１ｂに重ね合わせることによって手書き可能な箇所を閉じることもできる。
【００１６】
本実施形態による磁気テープカートリッジ１０は、前述の様に構成した３層のバーコードラベル１１を図１（ａ）の如くカートリッジの一側面に貼り付けることによって、このバーコードラベル１１のバーコードをロボット機構のバーコード読取機が読み取ることができると共に、保守員が磁気テープカートリッジに当該カートリッジ特有の情報（例えば交換時期や世代等の情報）を手書きする際、前記バーコード部１１ａの他端を掴んでバーコード部１１ａを捲り、メモ書き部１１ｃを露出させることによって、当該手書き部分に保守員が筆記具を用いて任意な文字等を手書きすることができる。
【００１７】
また本実施形態においては、中央部分をくり抜いて矩形枠部分を形成した中段部１１ｂを中間層として用いるため、バーコード部１１ａ裏面の半接着剤と中段部１１ｂの矩形枠３辺部分の半接着剤とを用いて両層を接着させ、バーコードラベル１１の３辺枠を比較的強力に接着させることができ、これによってバーコード部１１ａが１面のみに半接着剤を塗布した場合に比べて容易に剥がれることを防止することができる。
【００１８】
尚、前記実施形態においては、中央部分をくり抜いて矩形枠部分を形成した中段部１１ｂを中間層として用いる例を説明したが、本発明はこれに限られるものではなく、例えば中段部１１ｂの両端を除いた部分をくり抜き、バーコード部１１ａ裏面他端の半接着剤と中段部１１ｂの表面他端の半接着剤とを用いて両層を接着する様に構成しても良い。
【００１９】
また本実施形態においては、中段部１１ｂが矩形枠にくり抜かれる例を説明したが、このくり抜き形状は矩形枠形状に限られるものではなく、楕円形他の掲示用であっても良く、更にバーコードラベル１０を４層以上に構成しても良い。
【図面の簡単な説明】
【００２０】
【図１】本発明の一実施形態による磁気テープカートリッジの外観図。
【図２】本実施形態によるバーコードラベルの構成を説明するための図。
【図３】本実施形態によるバーコードラベルの分解構成図。
【符号の説明】
【００２１】
１０：磁気テープカートリッジ、１１：バーコードラベル、１１ａ：バーコード部、１１ｂ：中段部、１１ｃ：メモ書き部、１２ａ：くり抜き部、１５：バーコード。
【図１】
2010049727.tif 000003
【図２】
2010049727.tif 000004
【図３】
2010049727.tif 000005